(57)【要約】【課題】１連用の取付枠に設けられるスイッチ装置で、複数の負荷を制御する。【解決手段】スイッチ装置１は、複数の負荷Ｌ１〜Ｌ３を制御するための入力を受け付ける操作部１０と、複数の負荷Ｌ１〜Ｌ３を制御する制御部２０と、を備える。スイッチ装置１は、１連用の取付枠８の開口８ａに設けられる。操作部１０は、複数の負荷Ｌ１〜Ｌ３のうち１以上の負荷を選択する入力を受け付ける選択入力部１１、および、負荷Ｌ１〜Ｌ３の作動状態を変更する入力を受け付ける作動入力部１２を有する。制御部２０は、選択入力部１１にて受け付けた入力に基づいて上記１以上の負荷を選択し、作動入力部１２にて受け付けた入力に基づいて、選択された上記１以上の負荷の作動状態を制御する。【選択図】図３
2019133771.tif 000002
【特許請求の範囲】
【請求項１】
複数の負荷を制御するための入力を受け付ける操作部と、前記複数の負荷を制御する制御部と、を備えるスイッチ装置であって、
前記スイッチ装置は、１連用の取付枠の開口に設けられ、
前記操作部は、前記複数の負荷のうち１以上の負荷を選択する入力を受け付ける選択入力部、および、前記負荷の作動状態を変更する入力を受け付ける作動入力部を有し、
前記制御部は、前記選択入力部にて受け付けた入力に基づいて前記１以上の負荷を選択し、前記作動入力部にて受け付けた入力に基づいて、選択された前記１以上の負荷の作動状態を制御する
スイッチ装置。
【請求項２】
前記複数の負荷のそれぞれは、照明器具であり、
前記作動入力部は、前記照明器具の調光に関する作動状態を変更する入力を受け付ける
請求項１に記載のスイッチ装置。
【請求項３】
前記作動入力部は、前記１以上の負荷の作動状態が段階的に変化するようにまたは連続的に変化するように、前記作動状態を変更する入力を受け付ける
請求項１または２に記載のスイッチ装置。
【請求項４】
前記操作部は、前記スイッチ装置が前記取付枠の開口に設けられた場合に露出する操作面を有し、
前記選択入力部および前記作動入力部は、同一の前記操作面上に設けられる
請求項１〜３のいずれか１項に記載のスイッチ装置。
【請求項５】
前記操作部は、前記操作面に垂直な方向から見た場合に、長方形状であり、
前記選択入力部および前記作動入力部は、タッチパネルで構成されている
請求項４に記載のスイッチ装置。
【請求項６】
前記選択入力部は、前記操作部の短手方向に沿うタッチ入力を受け付けることで前記負荷を選択する入力を受け付け、
前記作動入力部は、前記操作部の長手方向に沿うタッチ入力を受け付けることで前記作動状態を変更する入力を受け付ける
請求項５に記載のスイッチ装置。
【請求項７】
前記操作部は、前記操作面に垂直な方向から見た場合に、長方形状であり、
前記選択入力部は、前記操作部の短手方向に並ぶ複数の第１プッシュスイッチで構成され、
前記作動入力部は、前記操作部の長手方向に並ぶ複数の第２プッシュスイッチで構成されている
請求項４に記載のスイッチ装置。
【請求項８】
前記制御部は、前記複数の負荷に１対１で接続する複数のスイッチ素子部を備え、前記選択入力部で受け付けた入力に基づいて、前記複数のスイッチ素子部のうち１以上の前記スイッチ素子部を選択し、前記作動入力部で受け付けた入力に基づいて、選択された前記スイッチ素子部を制御する
請求項１〜７のいずれか１項に記載のスイッチ装置。
【請求項９】
前記スイッチ素子部は、電界効果トランジスタを含む
請求項８に記載のスイッチ装置。
【請求項１０】
前記制御部は、位相制御によって前記負荷の作動状態を制御する
請求項１〜９のいずれか１項に記載のスイッチ装置。
【請求項１１】
選択された前記１以上の負荷を示す、または、前記１以上の負荷の作動状態を示す報知部をさらに備え、
前記制御部は、前記操作部で受け付けた入力に基づいて、前記報知部を作動させる
請求項１〜１０のいずれか１項に記載のスイッチ装置。
【発明の詳細な説明】
【技術分野】
【０００１】
本発明は、負荷を制御するためのスイッチ装置に関する。
【背景技術】
【０００２】
従来、照明器具などの負荷を制御するためのスイッチ装置が知られている。この種のスイッチ装置の一例として、特許文献１には、規格化されたサイズに対応した１連用の取付枠を用いて建物の壁に取り付けられるスイッチ装置が開示されている。
【先行技術文献】
【特許文献】
【０００３】
【特許文献１】特開２０１５−１８７９１８号公報
【発明の概要】
【発明が解決しようとする課題】
【０００４】
特許文献１に開示されたスイッチ装置では、制御対象である負荷と、その負荷を制御するためのスイッチ装置とが１対１で対応している。そのため、例えば複数の負荷を制御する場合は、多連用の取付枠に複数のスイッチ装置を設ける必要があり、壁における複数のスイッチ装置の占有面積が大きくなる。
【０００５】
そこで、本発明は、１連用の取付枠に設けられるスイッチ装置で、複数の負荷を制御することを目的とする。
【課題を解決するための手段】
【０００６】
本発明のスイッチ装置の一態様は、複数の負荷を制御するための入力を受け付ける操作部と、前記複数の負荷を制御する制御部と、を備えるスイッチ装置であって、前記スイッチ装置は、１連用の取付枠の開口に設けられ、前記操作部は、前記複数の負荷のうち１以上の負荷を選択する入力を受け付ける選択入力部、および、前記負荷の作動状態を変更する入力を受け付ける作動入力部を有し、前記制御部は、前記選択入力部にて受け付けた入力に基づいて前記１以上の負荷を選択し、前記作動入力部にて受け付けた入力に基づいて、選択された前記１以上の負荷の作動状態を制御する。
【発明の効果】
【０００７】
本発明は、１連用の取付枠に設けられるスイッチ装置で、複数の負荷を制御することができる。
【図面の簡単な説明】
【０００８】
【図１Ａ】実施の形態に係るスイッチ装置を含む負荷制御システムを示す概略ブロック図である。
【図１Ｂ】実施の形態に係るスイッチ装置のスイッチ素子部を示す回路図である。
【図２】実施の形態に係るスイッチ装置および取付枠が造営材に取り付けられる様子を示す図である。
【図３】実施の形態に係るスイッチ装置および取付枠を示す図である。
【図４Ａ】実施の形態に係るスイッチ装置の操作部の一例を示す図である。
【図４Ｂ】実施の形態に係るスイッチ装置の操作部の他の一例を示す図である。
【図５】実施の形態の変形例に係るスイッチ装置の操作部を示す図である。
【発明を実施するための形態】
【０００９】
以下、実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１０】
なお、各図は、模式図であり、必ずしも厳密に図示されたものではない。また、各図において、実質的に同一の構成に対しては同一の符号を付しており、重複する説明は省略または簡略化する。
【００１１】
（実施の形態）
まず、実施の形態に係るスイッチ装置１を含む負荷制御システム２について説明する。
【００１２】
図１Ａは、スイッチ装置１を含む負荷制御システム２を示すブロック図である。図２は、スイッチ装置１および取付枠８が造営材９に取り付けられる様子を示す図である。図３は、スイッチ装置１および取付枠８を示す図である。なお、図２では、取付枠８を覆うプレート枠および化粧プレートの記載を省略している。
【００１３】
図１Ａに示すように、負荷制御システム２は、複数の負荷Ｌ１、Ｌ２、Ｌ３と、１つのスイッチ装置１とを備えている。スイッチ装置１は、共通の端子ｔｃと、それぞれ異なる３つの端子ｔ１、ｔ２、ｔ３とを有している。各負荷Ｌ１〜Ｌ３は、配線を介してＡＣ電源に接続されている。ＡＣ電源は、配線を介して共通の端子ｔｃに接続されている。また、負荷Ｌ１は、配線を介して端子ｔ１に接続され、負荷Ｌ２は、配線を介して端子ｔ２に接続され、負荷Ｌ３は、配線を介して端子ｔ３に接続されている。
【００１４】
各負荷Ｌ１〜Ｌ３は、例えば、シーリングライトまたはダウンライトなどの照明器具であり、建物の造営材である天井に設置される。各負荷Ｌ１〜Ｌ３は、照明器具に限られず、送風機であってもよい。負荷の数は３に限られず、２以上であってもよい。
【００１５】
スイッチ装置１は、各負荷Ｌ１〜Ｌ３を制御するための装置である。スイッチ装置１は、図２に示すように、建物の造営材９の一例である壁に設置される。具体的には、造営材９の開口９ａに、１連用の取付枠８が締結部材等を用いて取り付けられ、スイッチ装置１は、取付枠８の開口８ａに挿入された状態、すなわち取付枠８に収納された状態で、取付枠８に固定される。
【００１６】
なお、造営材９の開口９ａは、長方形状であり、規格化された収納サイズを有している。１連用の場合、造営材９の開口９ａの寸法は、例えば垂直方向が９０ｍｍまたは９５ｍｍであり、水平方向が５１ｍｍである（ＪＩＳ  Ｃ  ８３０４参照）。１連用の取付枠８は、この規格化された収納サイズに取り付けられる。なお、２連用の場合、造営材９の開口９ａの寸法は、垂直方向が９０ｍｍまたは９５ｍｍであり、水平方向が９７ｍｍである。
【００１７】
次に、スイッチ装置１の各構成について説明する。
【００１８】
図１Ａに示すように、スイッチ装置１は、各負荷Ｌ１〜Ｌ３を制御するための入力を受け付ける操作部１０と、各負荷Ｌ１〜Ｌ３を制御する制御部２０と、報知部３０とを備えている。操作部１０および報知部３０のそれぞれは、制御部２０に接続されている。
【００１９】
操作部１０は、ユーザから、負荷Ｌ１〜Ｌ３を制御するための所定の操作入力を受け付ける部分であり、選択入力部１１および作動入力部１２を有している。
【００２０】
選択入力部１１は、負荷Ｌ１〜Ｌ３のうち１以上の負荷を選択する入力を受け付ける。選択される１以上の負荷は、例えば、１つの負荷Ｌ１であってもよいし、２つの負荷Ｌ１、Ｌ２であってもよいし、全ての負荷Ｌ１〜Ｌ３であってもよい。作動入力部１２は、選択入力部１１にて選択された１以上の負荷の作動状態を変更する入力を受け付ける。例えば、各負荷Ｌ１〜Ｌ３が照明器具である場合、作動入力部１２は、照明器具の調光に関する作動状態を変更する入力を受け付ける。
【００２１】
操作部１０は、例えば、静電容量式のタッチパネルＴＰを有している。また操作部１０は、図３に示すように、スイッチ装置１が取付枠８の開口８ａに設けられた場合に露出する操作面１０ａを有している。操作面１０ａは、スイッチ装置１が取付枠８に設けられた場合に、垂直方向に沿って配置される。前述した選択入力部１１および作動入力部１２は、同一の操作面１０ａ上に設けられる。
【００２２】
制御部２０は、選択入力部１１にて受け付けた入力に基づいて上記１以上の負荷を選択する。また、制御部２０は、作動入力部１２にて受け付けた入力に基づいて、選択された上記１以上の負荷の作動状態を制御する。すなわち制御部２０は、作動入力部１２にて受け付けた負荷の作動状態の変更入力に基づいて、負荷の作動状態を変更し、かつ、変更後の作動状態を維持するように負荷を制御する。
【００２３】
制御部２０は、スイッチ制御部２１と、スイッチ制御部２１に接続される複数のスイッチ素子部２２ａ、２２ｂ、２２ｃとを有している。なお、図１Ａには示していないが、制御部２０は、電源回路部、記憶部および所定のプログラムを有している。
【００２４】
各スイッチ素子部２２ａ〜２２ｃは、各負荷Ｌ１〜Ｌ３に１対１で接続される。具体的には、スイッチ素子部２２ａの一端側は端子ｔｃに接続され、他端側は端子ｔ１に接続される。スイッチ素子部２２ｂの一端側は端子ｔｃに接続され、他端側は端子ｔ２に接続される。スイッチ素子部２２ｃの一端側は端子ｔｃに接続され、他端側は端子ｔ３に接続される。
【００２５】
スイッチ制御部２１は、選択入力部１１で受け付けた入力に基づいて、スイッチ素子部２２ａ〜２２ｃのうち、これから作動変更すべきである１以上のスイッチ素子部（例えばスイッチ素子部２２ａ）を選択する。また、スイッチ制御部２１は、作動入力部１２で受け付けた入力に基づいて、選択されたスイッチ素子部２２ａを制御する。
【００２６】
図１Ｂは、スイッチ装置１のスイッチ素子部２２ａを示す図である。ここでは、スイッチ素子部２２ａ〜２２ｃのうち、スイッチ素子部２２ａを代表例に挙げて説明する。
【００２７】
スイッチ素子部２２ａは、互いに直列接続されたトランジスタＴｒ１、Ｔｒ２、および、トランジスタＴｒ１に並列接続されたダイオードｄ１、トランジスタＴｒ２に並列接続されたダイオードｄ２を有している。トランジスタＴｒ１のドレイン側は、前述した端子ｔｃに接続され、ソース側は、トランジスタＴｒ２のソース側に接続されている。トランジスタＴｒ２のドレイン側は、前述した端子ｔ１に接続されている。トランジスタＴｒ１、Ｔｒ２の各ゲートは、スイッチ制御部２１に接続されている。ダイオードｄ１のアノードは、トランジスタＴｒ１のソース側に接続され、カソードは、トランジスタＴｒ１のドレイン側に接続されている。ダイオードｄ２のアノードは、トランジスタＴｒ２のソース側に接続され、カソードは、トランジスタＴｒ２のドレイン側に接続されている。
【００２８】
スイッチ制御部２１は、スイッチ素子部２２ａ〜２２ｃにおける各トランジスタＴｒ１、Ｔｒ２の作動を制御することで、負荷Ｌ１〜Ｌ３の作動状態を制御する。具体的には、スイッチ制御部２１は、逆位相制御によって、負荷Ｌ１〜Ｌ３の作動状態を制御する。なお、スイッチ制御部２１による負荷Ｌ１〜Ｌ３の制御方式は、逆位相制御に限られず、順位相制御であってもよいし、ＰＷＭ（Pulse  Width  Modulation）制御であってもよい。
【００２９】
報知部３０は、選択入力部１１によって選択された負荷をユーザに報知する部分である。報知部３０は、例えば、光を出力するＬＥＤライトであり、操作面１０ａ上に記されたマーク（番号）の裏面に設けられている。報知部３０は、ＬＥＤライトに限られず、音を出力するスピーカであってもよい。制御部２０は、操作部１０で受け付けた入力に基づいて、報知部３０を作動させ、作動変更の対象となっている負荷をユーザに知らせる。
【００３０】
ここで、図４Ａおよび図４Ｂを参照しながら、スイッチ装置１を用いた操作方法について説明する。図４Ａは、スイッチ装置１の操作部１０の一例を示す図である。図４Ｂは、スイッチ装置１の操作部１０の他の一例を示す図である。
【００３１】
操作部１０は、操作面１０ａに垂直な方向から見た場合に、長方形状であり、前述した垂直方向と同じ方向である長手方向ＬＤに延びる辺と、水平方向と同じ方向である短手方向ＳＤに延びる辺とを有している。
【００３２】
選択入力部１１は、図４Ａに示すように、操作部１０の短手方向ＳＤに沿うタッチ入力を受け付けることで負荷Ｌ１〜Ｌ３を選択する入力を受け付ける。例えば、負荷Ｌ１が選択されている場面で、操作面１０ａに触れたユーザの指を短手方向ＳＤのプラス側に１回移動させると、負荷Ｌ２が選択される。さらに、指を短手方向ＳＤのプラス側に１回移動させると、負荷Ｌ３が選択される。さらに、指を短手方向ＳＤのプラス側に１回移動させると、全ての負荷Ｌ１〜Ｌ３が選択される。
【００３３】
また、負荷Ｌ１〜Ｌ３が選択されている場面で、操作面１０ａに触れたユーザの指を短手方向ＳＤのマイナス側に１回移動させると、負荷Ｌ３が選択される。さらに、指を短手方向ＳＤのマイナス側に１回移動させると、負荷Ｌ２が選択される。さらに、指を短手方向ＳＤのマイナス側に１回移動させると、負荷Ｌ１が選択される。
【００３４】
作動入力部１２は、図４Ｂに示すように、操作部１０の長手方向ＬＤに沿うタッチ入力を受け付けることで、選択入力部１１によって選択された負荷の作動状態を変更する入力を受け付ける。なお、図４Ｂでは、選択入力部１１によって負荷Ｌ１が選択され、負荷Ｌ１に対応するマーク（番号１）が点灯している状態が示されている。
【００３５】
負荷Ｌ１が選択された状態で、操作面１０ａに触れたユーザの指を長手方向ＬＤのプラス側またはマイナス側に移動させることで、負荷Ｌ１の作動状態が変更される。例えば、照明器具である負荷Ｌ１が消灯している場面で、指を長手方向ＬＤのプラス側に２５ｍｍ移動させると照明器具が５０％点灯となり、５０ｍｍ移動させると照明器具が１００％点灯となる。また、照明器具である負荷Ｌ１が１００％点灯している場面で、指を長手方向ＬＤのマイナス側に２５ｍｍ移動させると照明器具が５０％点灯となり、５０ｍｍ移動させると照明器具が消灯する。このように作動入力部１２は、指の移動に合わせて負荷Ｌ１の作動状態が段階的に変化するようにまたは連続的に変化するように、作動状態を変更する入力を受け付ける。
【００３６】
以上、本実施の形態に係るスイッチ装置１は、複数の負荷Ｌ１〜Ｌ３を制御するための入力を受け付ける操作部１０と、複数の負荷Ｌ１〜Ｌ３を制御する制御部２０と、を備える。スイッチ装置１は、１連用の取付枠８の開口８ａに設けられる。操作部１０は、複数の負荷Ｌ１〜Ｌ３のうち１以上の負荷を選択する入力を受け付ける選択入力部１１、および、負荷Ｌ１〜Ｌ３の作動状態を変更する入力を受け付ける作動入力部１２を有する。制御部２０は、選択入力部１１にて受け付けた入力に基づいて上記１以上の負荷を選択し、作動入力部１２にて受け付けた入力に基づいて、選択された上記１以上の負荷の作動状態を制御する。
【００３７】
これによれば、１連用の取付枠８に設けられたスイッチ装置１で、複数の負荷Ｌ１〜Ｌ３を制御することができる。すなわち、多連用の装置に比べて小さなサイズのスイッチ装置１にて、複数の負荷Ｌ１〜Ｌ２を制御することができる。
【００３８】
また、複数の負荷Ｌ１〜Ｌ３のそれぞれは、照明器具であり、作動入力部１２は、照明器具の調光に関する作動状態を変更する入力を受け付けてもよい。
【００３９】
これによれば、１連用の取付枠８に設けられたスイッチ装置１で、複数の照明器具の調光を制御することができる。
【００４０】
また、作動入力部１２は、１以上の負荷（例えば負荷Ｌ１）の作動状態が段階的に変化するようにまたは連続的に変化するように、作動状態を変更する入力を受け付けてもよい。
【００４１】
これによれば、負荷Ｌ１の作動状態をスムーズに、または、ユーザにとって違和感なく変更することができる。
【００４２】
また、操作部１０は、スイッチ装置１が取付枠８の開口８ａに設けられた場合に露出する操作面１０ａを有し、選択入力部１１および作動入力部１２は、同一の操作面１０ａ上に設けられていてもよい。
【００４３】
これによれば、選択入力部１１および作動入力部１２を同じ操作面１０ａ側から入力することができるので、スイッチ操作の利便性を向上することができる。
【００４４】
また、操作部１０は、操作面１０ａに垂直な方向から見た場合に、長方形状であり、選択入力部１１および作動入力部１２は、タッチパネルＴＰで構成されていてもよい。
【００４５】
これによれば、選択入力部１１および作動入力部１２に入力する際の操作性を向上することができる。
【００４６】
また、選択入力部１１は、操作部１０の短手方向ＳＤに沿うタッチ入力を受け付けることで負荷Ｌ１〜Ｌ３を選択する入力を受け付け、作動入力部１２は、操作部１０の長手方向ＬＤに沿うタッチ入力を受け付けることで作動状態を変更する入力を受け付けてもよい。
【００４７】
これによれば、選択入力部１１および作動入力部１２に入力する際の操作性を向上することができる。
【００４８】
また、制御部２０は、複数の負荷Ｌ１〜Ｌ３に１対１で接続する複数のスイッチ素子部２２ａ〜２２ｃを備え、選択入力部１１で受け付けた入力に基づいて、複数のスイッチ素子部２２ａ〜２２ｃのうち１以上のスイッチ素子部（例えばスイッチ素子部２２ａ）を選択し、作動入力部１２で受け付けた入力に基づいて、選択されたスイッチ素子部２２ａを制御してもよい。
【００４９】
これによれば、各負荷Ｌ１〜Ｌ３を確実に選択し、また、選択された負荷Ｌ１〜Ｌ３を個別に作動制御することができる。
【００５０】
また、スイッチ素子部（例えばスイッチ素子部２２ａ）は、電界効果トランジスタを含んでいてもよい。
【００５１】
これによれば、例えばスイッチ素子部２２ａがトライアックで構成されている場合に比べて、スイッチ素子部２２ａに流れる電流を小さくすることができる。これにより、スイッチ装置１内部における発熱を低減することができる。
【００５２】
また、制御部２０は、位相制御によって負荷Ｌ１〜Ｌ３の作動状態を制御してもよい。
【００５３】
これによれば、負荷Ｌ１〜Ｌ３をスムーズに作動させることができる。
【００５４】
（実施の形態の変形例）
次に、実施の形態の変形例に係るスイッチ装置１について説明する。変形例に係るスイッチ装置１は、操作部１０がプッシュスイッチとなっている点で、上記実施の形態と異なる。図５は、変形例に係るスイッチ装置１の操作部１０を示す図である。
【００５５】
変形例の操作部１０は、スイッチ装置１が取付枠８の開口８ａに設けられた場合に露出する操作面１０ａを有している。操作部１０は、操作面１０ａに垂直な方向から見た場合に、長方形状である。
【００５６】
選択入力部１１および作動入力部１２は、同一の操作面１０ａ上に設けられている。選択入力部１１は、操作部１０の短手方向ＳＤに並ぶ複数の第１プッシュスイッチｐ１、ｐ２、ｐ３で構成され、作動入力部１２は、操作部１０の長手方向ＬＤに並ぶ複数の第２プッシュスイッチｐ４、ｐ５で構成されている。
【００５７】
選択入力部１１は、第１プッシュスイッチｐ１〜ｐ３による入力を受け付けることで負荷Ｌ１〜Ｌ３を選択する入力を受け付ける。第１プッシュスイッチｐ１〜ｐ３は、自己保持型の押圧スイッチであり、例えば、第１プッシュスイッチｐ１が押圧されると、負荷Ｌ１が選択される。また、負荷Ｌ１が選択された状態で、第１プッシュスイッチｐ１が押圧されると、負荷Ｌ１の選択が解除される。また、全ての第１プッシュスイッチｐ１〜ｐ３が押圧されると、全ての負荷Ｌ１〜Ｌ３が選択される。
【００５８】
作動入力部１２は、第２プッシュスイッチｐ４、ｐ５による入力を受け付けることで、選択された負荷の作動状態を変更する入力を受け付ける。例えば、照明器具である負荷Ｌ１が消灯している場面で、第２プッシュスイッチｐ４が１回押圧されると照明器具が５０％点灯となり、さらに１回押圧されると照明器具が１００％点灯となる。また、照明器具である負荷Ｌ１が１００％点灯している場面で、第２プッシュスイッチｐ５が１回押圧されると照明器具が５０％点灯となり、さらに１回押圧されると照明器具が消灯する。このように作動入力部１２は、押圧操作に合わせて負荷Ｌ１の作動状態が段階的に変化するように、作動状態を変更する入力を受け付ける。
【００５９】
報知部３０は、選択された負荷の作動状態をユーザに報知する部分である。報知部３０は、例えばインジケータランプであり、操作面１０ａ上に設けられる。報知部３０は、インジケータランプに限られず、音を出力するスピーカであってもよい。制御部２０は、操作部１０で受け付けた入力に基づいて、報知部３０を作動させ、作動変更の対象となっている負荷の作動状態をユーザに知らせる。
【００６０】
このように、変形例のスイッチ装置１においても、１連用の取付枠８に設けられたスイッチ装置１で、複数の負荷Ｌ１〜Ｌ３を制御することができる。すなわち、多連用の装置に比べて小さなサイズのスイッチ装置１にて、複数の負荷Ｌ１〜Ｌ３を制御することができる。
【００６１】
また、変形例のスイッチ装置１の操作部１０は、操作面１０ａに垂直な方向から見た場合に、長方形状である。選択入力部１１は、操作部１０の短手方向ＳＤに並ぶ複数の第１プッシュスイッチｐ１〜ｐ３で構成され、作動入力部１２は、操作部１０の長手方向ＬＤに並ぶ複数の第２プッシュスイッチｐ４、ｐ５で構成されている。
【００６２】
これによれば、選択入力部１１および作動入力部１２に入力する際の操作性を向上することができる。
【００６３】
また、実施の形態１または変形例のスイッチ装置１は、選択された１以上の負荷（例えば負荷Ｌ１）を示す、または、１以上の負荷Ｌ１の作動状態を示す報知部３０をさらに備え、制御部２０は、操作部１０で受け付けた入力に基づいて、報知部３０を作動させる。
【００６４】
これによれば、ユーザが、現在選択されている負荷Ｌ１、または、選択された負荷Ｌ１の作動状態を的確に把握することができる。
【００６５】
（その他の形態）
以上、スイッチ装置について、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【００６６】
上記実施の形態では、各負荷Ｌ１〜Ｌ３に対して位相制御を行う場合の一例として、２線式の負荷制御システム２（図１Ａ参照）が示されているが、それに限られず、３線式の負荷制御システムであってもよい。
【００６７】
また、スイッチ素子部２２ａの一例として、複数の電界効果トランジスタを用いた例が示されているが、それに限られず、スイッチ素子部２２ａはトライアックで構成されていてもよい。
【００６８】
また、実施の形態の操作部１０の一例として、静電容量式のタッチパネルを用いた例が示されているが、それに限られず、抵抗膜式、赤外線式、電磁誘導式のタッチパネルであってもよい。
【００６９】
また、実施の形態における操作入力の一例として、タッチ入力で操作入力する例が示されているが、それに限られない。例えば、操作部１０がマイクを備えている場合は、音声入力によって、選択入力部および作動入力部への操作入力を行ってもよい。
【符号の説明】
【００７０】
１      スイッチ装置
２      負荷制御システム
８      取付枠
８ａ    開口
１０    操作部
１０ａ  操作面
１１    選択入力部
１２    作動入力部
２０    制御部
２２ａ、２２ｂ、２２ｃ  スイッチ素子部
３０    報知部
Ｌ１、Ｌ２、Ｌ３  負荷
ＬＤ    長手方向
ｐ１、ｐ２、ｐ３  第１プッシュスイッチ
ｐ４、ｐ５  第２プッシュスイッチ
ＳＤ    短手方向
ＴＰ    タッチパネル
【図１Ａ】
2019133771.tif 000003
【図１Ｂ】
2019133771.tif 000004
【図２】
2019133771.tif 000005
【図３】
2019133771.tif 000006
【図４Ａ】
2019133771.tif 000007
【図４Ｂ】
2019133771.tif 000008
【図５】
2019133771.tif 000009